(57)【特許請求の範囲】
【請求項１】
展開位置と収納位置との間で移動可能な複数段の床台と、
前記床台上に配置され、前記床台が前記展開位置に移動するときに起立し、前記床台が前記収納位置に移動するときに倒れる椅子と、
前記複数段の床台の少なくとも一つの床台上に配置され、前記床台が前記展開位置に移動するときに起立し、前記床台が前記収納位置に移動するときに倒れる折り畳み手摺と、
前記折り畳み手摺に接続されたシャフトと、
前記シャフトを回転させるための駆動力を発生するモータと、前記モータと前記シャフトとに接続されたウォームギヤとを有する駆動部と、
前記床台と同じ方向に延在する貫材を備え、
前記椅子は前記貫材の前方に配置されており、前記駆動部は前記貫材の後方に配置されていることを特徴とする、収納式観覧席。
【請求項２】
前記ウォームギヤのウォームは、前記モータの出力軸に接続されており、
前記ウォームギヤのウォームホイールは、前記シャフトに固定されており、
前記折り畳み手摺は、前記シャフトに接続部材を介して固定されており、
前記モータの駆動力により前記ウォームが回転すると、前記ウォームに噛み合う前記ウォームホイールが前記シャフトを中心に回転し、
前記ウォームホイールの回転に伴い前記シャフトが回転すると、前記折り畳み手摺が前記シャフトを中心に揺動することを特徴とする請求項１に記載の収納式観覧席。
【請求項３】
展開位置と収納位置との間で移動可能な複数段の床台と、
前記床台上に配置され、前記床台が前記展開位置に移動するときに起立し、前記床台が前記収納位置に移動するときに倒れる椅子と、
前記複数段の床台の少なくとも一つの床台上に配置され、前記床台が前記展開位置に移動するときに起立し、前記床台が前記収納位置に移動するときに倒れる折り畳み手摺と、
前記折り畳み手摺に接続されたシャフトと、
前記シャフトを回転させる駆動部と、
前記床台と同じ方向に延在する貫材を備え、
前記椅子は、前記貫材の前方に配置されており、
前記貫材の前方及び後方に、前記駆動部を配置することが可能な空間が設けられており、
前記駆動部は、前記貫材の前面及び後面に着脱可能な固定部材を介して、前記貫材に固定されていることを特徴とする収納式観覧席。
【請求項４】
前記固定部材は、互いに対向する第１の壁部分及び第２の壁部分を有し、
前記第１の壁部分及び前記第２の壁部分には、ボルト穴が形成されており、
前記固定部材は、前記ボルト穴に挿入されたボルトを介して前記貫材に固定されることを特徴とする請求項３に記載の収納式観覧席。
【請求項５】
展開位置と収納位置との間で移動可能な複数段の床台と、
前記床台上に配置され、前記床台が前記展開位置に移動するときに起立し、前記床台が前記収納位置に移動するときに倒れる椅子と、
前記複数段の床台の少なくとも一つの床台上に配置され、前記床台が前記展開位置に移動するときに起立し、前記床台が前記収納位置に移動するときに倒れる折り畳み手摺と、
前記折り畳み手摺に接続されたシャフトと、
前記シャフトを回転させるための駆動力を発生するモータと、前記モータと前記シャフトとに接続されたウォームギヤとを有する駆動部と、
前記床台が前記展開位置に移動するときに前記椅子を起立させ、前記床台が前記収納位置に移動するときに前記椅子を倒す駆動機構と、
前記駆動機構及び前記モータの出力軸に接続された伝達軸とを有し、
前記モータの出力軸は、前記伝達軸を介して前記ウォームギヤに接続されており、
前記椅子及び前記折り畳み手摺は、前記床台が前記展開位置に移動するときに前記伝達軸の回転に伴い起立し、前記床台が前記収納位置に移動するときに前記伝達軸の回転に伴い倒れることを特徴とする収納式観覧席。
【発明の詳細な説明】
【技術分野】
【０００１】
本発明は、不使用時に収納可能であると共に、駆動部から伝達された駆動力によって折り畳むことができる折り畳み手摺を備えた収納式観覧席に関する。
【背景技術】
【０００２】
従来、モータの駆動力によって自動折たたみ式手すりを折りたたむことができる伸縮式階段状観覧席が知られていた（特許文献１）。この観覧席においては、伸縮式階段状観覧席の階段通路の外方側部位置に、手すりの自動折たたみ機構が収納されたボックスが載置されている。また、ボックスは、手すりの下端部に挟まれた位置に配置されている。そして、ボックス内のほぼ中央には、出力軸を対称状に水平状態で同心状に突設した減速機付きのモータが配置されている。
【０００３】
モータの出力軸の直下位置には、軸部の一端に第１リンクを嵌着した入力軸が、出力軸に平行する態様で回転自在に配置されている。そして、入力軸の軸上には、出力軸に嵌着したギヤと噛み合うギヤが嵌着されている。また、第１リンクの先端部には、第２リンクが揺動可能に連結されている。当該第２リンクの先端部は、手すりの下端部の上端に突設した従動ピンに連結されている。そして、観覧席を収納する場合は、モータの駆動力により第１リンクが入力軸を中心に回動し、直立態様の手すりが水平方向へ自動的に倒れる。観覧席を使用する場合は、モータの逆転駆動力と各要部の逆行操作により、手すりを折りたたみ位置から直立方向へ自動的に起立させる。
【先行技術文献】
【特許文献】
【０００４】
【特許文献１】実開昭６０−１５０２６５号公報
【発明の概要】
【発明が解決しようとする課題】
【０００５】
上記自動折たたみ式手すりのモータは、減速機を備える必要があり、また観覧席の使用時に手すりが倒れることを防止するためのロック機構を備える必要がある。そのため、モータのサイズが大きくなり、モータを配置することが可能な位置が制限されていた。具体的に特許文献１においては、階段通路の外方側部位置であり且つ手すりの下端部に挟まれた位置に配置されたボックス内にモータが収納されている。このような位置にモータを配置した場合は、通路のスペース又は椅子を配置できるスペースが狭くなってしまう。そして、スペースを広げようとすると、観覧席全体のサイズ及び観覧席の収容が大きくなってしまう。
【課題を解決するための手段】
【０００６】
上記課題を解決するため、本発明の収納式観覧席は、展開位置と収納位置との間で移動可能な複数段の床台と、前記床台上に配置され、前記床台が前記展開位置に移動するときに起立し、前記床台が前記収納位置に移動するときに倒れる椅子と、前記複数段の床台の少なくとも一つの床台上に配置され、前記床台が前記展開位置に移動するときに起立し、前記床台が前記収納位置に移動するときに倒れる折り畳み手摺と、前記折り畳み手摺に接続されたシャフトと、前記シャフトを回転させるための駆動力を発生するモータと、前記モータと前記シャフトとに接続されたウォームギヤとを有する駆動部を備える。
【０００７】
これにより、駆動部のサイズを小さくすることができる。そのため、通路のスペース又は椅子を配置できるスペースを広くすること、または、収納式観覧席全体のサイズを小さくすることができる。また、駆動部を配置する位置の自由度を高めることができる。
【０００８】
本発明のさらなる特徴は、添付図面を参照して例示的に示した以下の実施例の説明から明らかになる。
【図面の簡単な説明】
【０００９】
【図１】収納式観覧席が展開位置にある状態を示す概略側面図である。
【図２】収納式観覧席が収納位置にある状態を示す概略側面図である。
【図３】椅子を揺動させる様子を説明する概略図である。
【図４】起立した折り畳み手摺を示す概略正面図である。
【図５】倒れた折り畳み手摺を示す概略正面図である。
【図６】折り畳み手摺のベースを示す概略三面図である。
【図７】貫材の後方に配置した駆動部を示す概略側面図である。
【図８】貫材の後方に配置した駆動部を示す概略平面図である。
【図９】貫材の前方に配置した駆動部を示す概略側面図である。
【図１０】貫材の前方に配置した駆動部を示す概略平面図である。
【図１１】駆動部の固定部材を示す概略三面図である。
【図１２】第２実施形態の収納式観覧席を示す概略平面図である。
【図１３】第２実施形態の収納式観覧席を示す概略側面図である。
【発明を実施するための形態】
【００１０】
以下、本発明を実施するための例示的な実施例を、図面を参照して詳細に説明する。ただし、以下の実施例で説明する寸法、材料、形状、構成要素の相対的な位置等は任意であり、本発明が適用される装置の構成又は様々な条件に応じて変更できる。また、特別な記載がない限り、本発明の範囲は、以下に説明される実施例で具体的に記載された形態に限定されるものではない。
【００１１】
［第１実施形態］
収納式観覧席１は、図１に示す展開位置と図２に示す収納位置との間で移動させることができる。そして、収納式観覧席１は、展開位置と収納位置との間で移動可能な複数段の床台２と、床台２上に配置され、床台２が展開位置に移動するときに起立し、床台２が収納位置に移動するときに倒れる椅子３とを備える。そして、展開位置方向を前方とし収納位置方向を後方とした場合、収納式観覧席１を使用する際は、最下段の床台２から順次に前方へ引き出す。これにより、展開位置へ移動した複数段の床台２は、後方に向かうにつれて段階的に高さを増す階段状の態様となる。すなわち、最下段の床台２が最前列に位置し、最上段の床台２が最後列に位置する。収納式観覧席１の利用者は、展開位置にある各床台２上に配置された複数の椅子３に着座する。
【００１２】
収納式観覧席１を収納する際は、最前段の床台２から順次に後方の床台２の下に重なるように後退させる。これにより、最上段の床台２の下方に複数の床台２が重なった状態で、収納式観覧席１を収納庫１０内へ収納することができる。各床台２の延在方向、すなわち床台２の長手方向と同じ方向には、貫材２２が延在している。また、各床台２は梁材２１により支持されており、梁材２１は貫材２２に固定されている。貫材２２は、走行ローラを有する基台１１上において、支持部材２３によって支持されている。そして、椅子３は貫材２２の前方に配置されている。すなわち、椅子３が配置された各床台２は、梁材２１、貫材２２及び支持部材２３によって片持ち状態で支持されている。そして、基台１１は、不図示のモータによって、前方及び後方に移動することができる。なお、第１実施形態においては、所定の位置に階段通路が設けられている。そして、当該階段通路には、椅子３と椅子３とに挟まれるようにして不図示のステップが配置されている。
【００１３】
各床台２上には複数の椅子３が並んで配置されており、隣り合う椅子３同士は連結されている。そして、図３に示すように、椅子３は、利用者が着座するための座３１と、座３１の後方に設けられた背３２と、座３１の両側に設けられた肘かけ３３とを有する。座３１は、利用者が着座可能な使用位置と、跳ね上げられた起立位置との間で揺動できるように構成されている。そして、図３においては、起立位置にある座３１を点線で示している。また、椅子３は駆動機構２００によって起立した位置と倒れた位置との間で揺動することができる。駆動機構２００は、不図示のモータの駆動力を椅子３に伝達する伝達機構を有する。そして、床台２が収納位置に移動するときに、駆動機構２００は、図３において実線で示された収納位置に椅子３を倒す。一方、床台２が展開位置に移動するときに、駆動機構２００は、図３において点線で示された展開位置に椅子３を起立させる。
【００１４】
複数段の床台２の少なくとも一つの床台２上には、床台２が展開位置に移動するときに起立し、床台２が収納位置に移動するときに倒れる折り畳み手摺４が配置されている。折り畳み手摺４は安全柵を兼ねており、床台２の両側端部上に配置されている。各床台２上に配置された折り畳み手摺４は、床台２が展開位置にある場合に図４に示すように起立する。このように起立した折り畳み手摺４は、収納式観覧席１を収納する際に収納庫１０の天井に当接して収納を妨害してしまう。そのため、折り畳み手摺４は、当該折り畳み手摺４に接続されたシャフト５を中心にして、起立した位置と倒れた位置との間で揺動させることができる。そして、床台２が収納位置にある場合には図５に示すように折り畳まれている。なお、図４及び図５においては、貫材２２を点線で図示している。
【００１５】
折り畳み手摺４の脚部材４１は、接続部材である板状の接続金具５１を介して、シャフト５に固定されている。そして、接続金具５１の端部は、折り畳み手摺４の各脚部材４１の下端に溶接されている。また、接続金具５１にはシャフト５が貫通する穴が形成されており、接続金具５１は当該穴を貫通したシャフト５と溶接されている。さらに、シャフト５は、折り畳み手摺４の下方に配置されたベース５２に支持されている。ベース５２には、軸受け５２０として、シャフト５が貫通する穴が形成されている。これにより、後述するモータ６１の駆動力によってシャフト５が回転すると、シャフト５を中心として折り畳み手摺４を揺動させることができる。また、脚部材４１にはプレート部材４１１が溶接されている。そして、ベース５２は、脚部材４１の下が当接する当接部５３を有している。当接部５３は、ベース５２の内面に溶接されたＬ字状の金具５３１と、当該金具５３１に取り付けられたボルト５３２とを有する。そして、折り畳み手摺４が起立した際には、ボルト５３２の頭部がプレート部材４１１に当接する。なお、ベース５２は床台２にボルトで固定されており、接続金具５１はベース５２の内側に位置している。
【００１６】
図６は三方向から見たベース５２を示しており、図６の左部分には前方から見たベース５２が示され、図６の右上部分には上方から見たベース５２が示され、図６の右下部分には側方から見たベース５２が示されている。ベース５２は、前方から見た場合に略Ｌ字状の形状を有する第１の部分５２１と、側方から見た場合に略Ｕ字状の形状を有する第２の部分５２２とを溶接することによって形成されている。これにより、ベース５２の中央部には前後方向に延在すると共に上方に向かって立ち上がる内壁部５２３が設けられ、ベース５２の前端及び後端には上方に向かって立ち上がる外壁部５２４が設けられている。そして、シャフト５の軸受け５２０は、外壁部５２４に形成されている。各外壁部５２４の近傍であり且つベース５２の内側には、折り畳み手摺４の脚部材４１が当接する当接部５３が配置されている。また、第１の部分５２１及び第２の部分５２２には、ベース５２を床台２に固定するための２つのボルト穴５２５が形成されている。すなわち、ベース５２は、４か所のボルト穴５２５を介して床台２にボルトで固定される。
【００１７】
図７に示すように、折り畳み手摺４は、上下方向に延在する角パイプによって構成された２本の脚部材４１と、水平方向に延在する角パイプによって構成された上部部材４２とを有する。そして、上部部材４２の前後方向の両端部は、それぞれ各脚部材４１の上端部に溶接されている。また、上部部材４２の下方には、略Ｕ字状の断面形状を有し水平方向に延在する枠部材４４が配置されている。そして、枠部材４４の前後方向の両端部は、それぞれ各脚部材４１に溶接されている。枠部材４４の溝部には板状のパネル４５の上端部が差し込まれており、パネル４５の下端部はビス止めされている。当該パネル４５は、アルミニウム層と樹脂層との複合板によって形成されている。また、パネル４５と上部部材４２との間には、開口が設けられている。そして、各脚部材４１の下端部は、ベース５２の内側に配置されている。すなわち、ベース５２の外壁部５２４の内側に接続金具５１が位置しており、接続金具５１の内側に各脚部材４１の下端部が位置している。なお、図７においては複数の床台２のうち２つの床台２を図示しており、説明の便宜のために椅子３を点線で図示している。
【００１８】
また、図７及び図８に示すように、駆動部６は貫材２２の後方に配置されている。そして、駆動部６は、シャフト５を回転させるための駆動力を発生させるモータ６１と、モータ６１とシャフト５とに接続されたウォームギヤ６２とを有する。モータ６１とウォームギヤ６２とは並んで位置しており、モータ６１はウォームギヤ６２に対して内側に位置している。また、ウォームギヤ６２は、歯車状のウォームホイール６２１と、ウォームホイール６２１に噛み合うねじ状のウォーム６２２とを有している。ウォーム６２２はモータ６１の出力軸に接続されており、ウォームホイール６２１はシャフト５に固定されている。より具体的には、ウォームホイール６２１がシャフト５の後端に固定されており、ウォーム６２２がカップリング６３を介してモータ６１の出力軸に接続されている。そして、ウォームホイール６２１は、ウォーム６２２の上方に配置されている。
【００１９】
モータ６１の駆動力によりウォーム６２２が出力軸を中心に回転すると、ウォームに噛み合うウォームホイール６２１がシャフト５を中心に回転する。そして、ウォームホイール６２１の回転に伴いシャフト５が回転すると、接続金具５１を介してシャフト５に接続された脚部材４１がシャフト５を中心に揺動する。これにより、モータ６１の駆動力によって、折り畳み手摺４がシャフト５を中心に揺動する。このようにして、収納式観覧席１を収納する際には、モータ６１の駆動力によって折り畳み手摺４を倒す。一方、収納式観覧席１を展開する際には、モータ６１を逆転させて折り畳み手摺４を起立させる。なお、図８においては、説明の便宜のために椅子３を点線で図示している。
【００２０】
このような駆動部６によれば、高い減速比が得られるため駆動部６に別途の減速機を設ける必要が無い。さらに、ウォームギヤ６２はセルフロック機能を有するため、モータ６１が停止した状態で折り畳み手摺４に力が加わったとしても、ウォームホイール６２１がウォーム６２２を回転させてしまうことを防止できる。これにより、駆動部６に別途のロック機構を設ける必要が無いため、駆動部６のサイズを小さくすることができる。また、別途の減速機及びロック機構を設ける必要が無いため、製造コストを低減することができる。
【００２１】
モータ６１とウォームギヤ６２とは、貫材２２の後方において、貫材２２の長手方向と平行な方向に並んで配置されている。また、モータ６１は、略９の字状の断面形状を有する固定部材である固定金具６４にビス止めされている。当該固定金具６４は、上下方向に並んだ二つのボルト６４０によって貫材２２に固定されている。そして、貫材２２の前方には、図７及び図８に１点鎖線で示すように、駆動部６を配置することが可能な前方空間７１が設けられている。すなわち、前後方向における貫材２２から折り畳み手摺４のベース５２までの長さは、駆動部６の幅よりも長い。そして、上下方向における床台２から椅子３までの長さは、駆動部６の高さよりも長い。そのため、貫材２２の後方に駆動部６を配置することも、貫材２２の前方に駆動部６を配置することも可能となる。換言すると、貫材２２の前方に駆動部６を配置することが可能な前方空間７１が設けられており、貫材２２の後方に駆動部６を配置することが可能な後方空間７２が設けられている。これにより、収納式観覧席１の設計の自由度を高めることができる。なお、貫材２２の前方に駆動部６を配置する場合は、貫材２２の後方に駆動部６を配置する場合のシャフト５と比較して、短い長さのシャフト５を使用することができる。
【００２２】
図９及び図１０は、貫材２２の前方に駆動部６を配置した例を示す。貫材２２の後方には、駆動部６を配置することが可能な後方空間７２が設けられている。上述したように、モータ６１は固定金具６４にビス止めされており、固定金具６４は上下方向に並んだ二つのボルト６４０によって貫材２２に固定されている。そして、床台２の後部における貫材２２の後方には、図９及び図１０に１点鎖線で示すように、駆動部６を配置することが可能な後方空間７２が設けられている。このような構成により、収納式観覧席１の設計の自由度を高めることができる。特に、貫材２２の後方に駆動部６を配置した場合は、床台２の後方から駆動部６の整備又は点検を容易に行うことができる。なお、図９においては複数の床台２のうち一部の床台２を図示している。また、図９及び図１０においては、説明の便宜のために椅子３を点線で図示している。
【００２３】
第１実施形態においては、貫材２２の後方に駆動部６を配置する場合と貫材２２の前方に駆動部６を配置する場合とで、同じ固定金具６４を使用することができる。図１１は三方向から見た固定金具６４を示しており、図１１の左部分には前方から見た固定金具６４が示され、図１１の右上部分には上方から見た固定金具６４が示され、図１１の右下部分には側方から見た固定金具６４が示されている。固定金具６４はカップリング６３が配置される内側空間６５と、ウォームギヤ６２が配置される外側空間６６とを画定する。内側空間６５はカップリング６３を四方向から囲む第１の壁部分６４１、第２の壁部分６４２、第３の壁部分６４３及び第４の壁部分６４４によって画定され、外側空間６６はウォームギヤ６２を三方向から囲む第４の壁部分６４４、第５の壁部分６４５及び第６の壁部分６４６によって画定される。内側空間６５と外側空間６６とを区切る第４の壁部分６４４、すなわち、カップリング６３及びウォームギヤ６２に面する第４の壁部分６４４は、内側空間６５と外側空間６６とで共用されている。
【００２４】
第１の壁部分６４１には、駆動部６を貫材２２の後方に配置した場合に、固定金具６４を固定するために用いるボルト穴６５０が形成されている。また、第２の壁部分６４２は、第１の壁部分６４１と対向すると共に、駆動部６を貫材２２の前方に配置した場合に、固定金具６４を固定するために用いるボルト穴６５０が形成されている。また、第３の壁部分６４３は、モータボックスに面すると共に、カップリング６３が貫通する穴部６５１が形成されている。そして、第４の壁部分６４４は、カップリング６３とウォームギヤ６２との間に配置されると共に、ウォーム６２２が貫通する穴部６５２が形成されている。また、第５の壁部分６４５は、第４の壁部分６４４と対向すると共に、ウォーム６２２が貫通する穴部６５３が形成されている。そして、第６の壁部分６４６には、シャフト５が貫通する穴部６５４が形成されている。
【００２５】
これにより、貫材２２の後方に駆動部６を配置する場合と貫材２２の前方に駆動部６を配置する場合とで、同じ固定金具６４を使用することができる。すなわち、貫材２２の後方に駆動部６を配置する場合には、第１の壁部分６４１に形成されたボルト穴６５０を用いて、固定金具６４が貫材２２の後面に固定される。そして、貫材２２の前方に駆動部６を配置する場合には、第２の壁部分６４２に形成されたボルト穴６５０を用いて、固定金具６４が貫材２２の前面に固定される。そのため、二種類の固定金具６４を用意する必要が無く、部品点数を削減することができる。このような固定金具６４は、貫材２２からボルトを取り外すことで取り外すことができる。すなわち、固定金具６４は、貫材２２の前面及び後面のいずれに対しても着脱可能である。これにより、貫材２２の後面に固定された固定金具６４を取り外し、貫材２２の前面に取り付けて固定することができる。
【００２６】
また、貫材２２は、第１の壁部分６４１に形成されたボルト穴６５０及び第２の壁部分６４２に形成されたボルト穴６５０に対応する位置に、後方から前方へ貫通する貫通穴を有している。そして、固定金具６４は、当該貫通穴を貫通するボルトによって貫材２２に固定される。これにより、固定金具６４を貫材２２の後方に配置した場合であっても、固定金具６４を貫材２２の前方に配置した場合であっても、固定金具６４を貫材２２に固定することができる。
【００２７】
以上説明した第１実施形態によれば、駆動部６のサイズを小さくすることができる。そのため、通路のスペース又は椅子３を配置できるスペースを広くすること、または、収納式観覧席１全体のサイズを小さくすることができる。さらに、貫材２２の後方に駆動部６を配置することも、貫材２２の前方に駆動部６を配置することも可能である。そのため、収納式観覧席１の設計の自由度を高めることができる。
【００２８】
［第２実施形態］
第２実施形態においては、椅子３の駆動機構２００に伝達される駆動力を発生させるモータを、折り畳み手摺４に伝達される駆動力を発生させるモータとしても用いている点で、第１実施形態とは異なる。また、第２実施形態と第１実施形態とでは、階段通路の位置が異なる。以下、図１２及び図１３を用いて第２実施形態に付いて説明するが、第１実施形態と同様な構成については同じ参照符号を付し、その説明は省略する。なお、図１３においては、説明の便宜のために椅子３の図示を省略している。
【００２９】
第２実施形態の収納式観覧席１は、床台２が展開位置に移動するときに椅子３を起立させ、床台２が収納位置に移動するときに椅子３を倒す駆動機構２００と、駆動機構２００及びモータ６１の出力軸に接続された伝達軸２０２とを有する。そして、駆動機構２００は、伝達部２１０を介して折り畳み手摺４を揺動するモータ６１の出力軸と接続している。より具体的には、駆動部６のモータ６１の出力軸には駆動歯車２０１が固定されており、床台２上に配置された伝達軸２０２に駆動歯車２０１と噛み合った従動歯車２０３が固定されている。また、伝達軸２０２は、複数の椅子３の配列方向に延在している。駆動機構２００は、伝達軸２０２の回転を椅子３に伝達する不図示の伝達機構を有する。例えば、伝達機構は伝達軸２０２に固定された歯車及びリンク機構を有し、駆動機構２００は、当該歯車及びリンク機構の回転に応じて複数の椅子３を起立した位置と倒れた位置との間で揺動することができる。
【００３０】
モータ６１の出力軸は、伝達軸２０２を介してウォームギヤ６２に接続されている。すなわち、伝達軸２０２の端部には、カップリング６３を介してウォームギヤ６２のウォーム６２２が接続されている。そして、ウォーム６２２の上方には、ウォームギヤ６２のウォームホイール６２１がウォーム６２２と噛み合うように配置されている。ウォームホイール６２１はシャフト５の後端に固定されており、シャフト５は接続金具５１を介して折り畳み手摺４の脚部材４１に接続されている。これにより、椅子３及び折り畳み手摺４は、床台２が展開位置に移動するときに伝達軸２０２の回転に伴い起立する。そして、椅子３及び折り畳み手摺４は、床台２が収納位置に移動するときに伝達軸２０２の回転に伴い倒れる。
【００３１】
ウォームギヤ６２は、固定金具２６４を介して貫材２２に固定されている。固定金具２６４は、ウォーム６２２が貫通する穴部が形成されている一対の壁部と、シャフト５が貫通する穴部が形成されている壁部とを有する。そして、固定金具２６４は、ウォームギヤ６２の側方と後方を囲むように構成されている。また、図１２において最も左側に位置する椅子３と、折り畳み手摺４との間には、点線で示したステップ２２０が配置されている。すなわち、床台２上において最も外側に配置された椅子３の外側には、椅子３よりも高さが低いステップ２２０が配置されている。これにより、倒れた折り畳み手摺４と重なる位置には、ステップ２２０が位置することになる。そして、図１３に示すように、ステップ２２０の高さは、折り畳み手摺４の揺動を妨害しないように設定されている。そのため、モータ６１の駆動力により、椅子３及び折り畳み手摺４が略同時に起立又は倒れるとしても、折り畳み手摺４の揺動が妨害されることはない。
【００３２】
第２実施形態の収納式観覧席１によれば、第１実施形態と同様の作用効果に加えて、椅子駆動用のモータ６１を設ける必要が無い。そのため、通路のスペース又は椅子３を配置できるスペースをより広くすることができる。または、収納式観覧席１全体のサイズをより小さくすることができる。
【００３３】
なお、上記各実施形態においては、シャフト５が貫材２２の側方に位置していた。しかし、貫材２２に貫通部を形成することによって、シャフト５が貫材２２を貫通していてもよい。また、第１実施形態においては、複数の床台２の全てに折り畳み手摺４が配置されていた。しかし、折り畳み手摺４は、複数の床台２の少なくとも一つに配置されていればよい。すなわち、複数の床台２のうち、収納を妨げる手摺、すなわち、高い位置にある床台２の手摺のみを折り畳み手摺４とし、低い位置にある床台２の手摺を折り畳み不能とすることができる。また、上記各実施形態においては、梁材２１が貫材２２に固定されていた。しかし、梁材２１は、支持部材２３に固定することもできる。
【００３４】
以上、実施例を参照して本発明について説明したが、本発明は上記実施例に限定されるものではない。本発明に反しない範囲で変更された発明、及び本発明と均等な発明も本発明に含まれる。また、上述の各実施形態及び変形例は、本発明に反しない範囲で適宜組み合わせることができる。
【符号の説明】
【００３５】
１：収納式観覧席、２：床台、３：椅子、４：折り畳み手摺、５：シャフト、６：駆動部、１０：収納庫、１１：基台、２１：梁材、２２：貫材、２３：支持部材、３１：座、３２：背、３３：肘かけ、４１：脚部材、４１１：プレート部材、４２：上部部材、４４：枠部材、４５：パネル、５１：接続金具、５２：ベース、５３：当接部、６１：モータ、６２：ウォームギヤ、６３：カップリング、６４：固定金具、６５：内側空間、６６：外側空間、７１：前方空間、７２：後方空間、２００：駆動機構、２０１：駆動歯車、２０２：伝達軸、２０３：従動歯車、２１０：伝達部、２２０：ステップ、２６４：固定金具、５２０：軸受け、５２１：第１の部分、５２２：第２の部分、５２３：内壁部、５２４：外壁部、５２５：ボルト穴、５３１：金具、５３２：ボルト、６４０：ボルト、６２１：ウォームホイール、６２２：ウォーム、６４１：第１の壁部分、６４２：第２の壁部分、６４３：第３の壁部分、６４４：第４の壁部分、６４５：第５の壁部分、６４６：第６の壁部分、６５０：ボルト穴、６５１：穴部、６５２：穴部、６５３：穴部、６５４：穴部
【図１】
0005843557.tif 000002
【図２】
0005843557.tif 000003
【図３】
0005843557.tif 000004
【図４】
0005843557.tif 000005
【図５】
0005843557.tif 000006
【図６】
0005843557.tif 000007
【図７】
0005843557.tif 000008
【図８】
0005843557.tif 000009
【図９】
0005843557.tif 000010
【図１０】
0005843557.tif 000011
【図１１】
0005843557.tif 000012
【図１２】
0005843557.tif 000013
【図１３】
0005843557.tif 000014